(57)【要約】【課題】使用者が、単に上体をひねる運動をするのみだけでなく、上肢も動かして遊びを通して、すなわち、遊び感覚で楽しみながら上体ひねりの運動をし、体幹のストレッチを行い体幹の柔軟性を高めたり、上肢の運動能力の維持向上を図る。【解決手段】使用者Ｍの周りに位置して、使用者Ｍの上肢の動きとともに体幹の捻り動作を誘導する誘導棒３を設ける。前記誘導棒３に回動可能な関節部３２を設けて、該誘導棒３の３次元的配置を変化させることができるようにする。【選択図】図８
2008079626.tif 000002
【特許請求の範囲】
【請求項１】
使用者の周りに位置して、使用者の上肢の動きとともに体幹の捻り動作を誘導する誘導棒を設けたことを特徴とする運動遊具。
【請求項２】
前記誘導棒を使用者の周りに一部を開口して設けたことを特徴とする請求項１記載の運動遊具。
【請求項３】
前部と両側部に一連に配置した誘導棒を有することを特徴とする運動遊具。
【請求項４】
前記誘導棒に回動可能な関節部を設けて、該誘導棒の位置を変化させることができるようにしたことを特徴とする請求項１又は２又は３記載の運動遊具。
【請求項５】
前記誘導棒とは別に使用者が手に持つ手道具を用意し、該手道具には、前記誘導棒を挿通する穴を設けたことを特徴とする請求項１又は２又は３又は４に記載の運動遊具。
【請求項６】
使用者の周りに位置する基台を設け、該基台を複数に分割してその構成体を回転可能に連結し、前記誘導棒を３次元的に位置変化させることを可能に形成したことを特徴とする請求項１乃至５のいずれか１項に記載の運動遊具。
【請求項７】
使用者の周りに位置する基台を設け、該基台に前記誘導棒を設け、かつ、前記基台に複数の移動具を取り外し可能に設けたことを特徴とする請求項１乃至６のいずれか１項に記載の運動遊具。
【請求項８】
前記誘導棒とは別に使用者が手に持つ手道具を用意し、該手道具には、前記誘導棒を挿通する穴と、前記移動具を保持する保持部を設けたことを特徴とする請求項７記載の運動遊具。
【請求項９】
使用者の周りに位置して基台を設け、該基台に複数の移動具を取り外し可能に設けたことを特徴とする運動遊具。
【発明の詳細な説明】
【技術分野】
【０００１】
本発明は運動遊具に関する。
【背景技術】
【０００２】
従来、上体をひねる捻転運動を行うものとして、椅子の座部を回転させて、腰を捻りストレッチを行うものが知られている。例えば、座部を脚部の上端に回転可能に設け、該脚部にアームレストと背もたれ部を固設して、座部とアームレストが連動しないようにした椅子を形成し、この椅子に座って、アームレストで上体を支えながら、腰を左右に捻ることで捻転運動が行えるものが開示されている。（特許文献１参照）。
【特許文献１】特開平１１−１１３６６４
【発明の開示】
【発明が解決しようとする課題】
【０００３】
前記従来の椅子においては、運動、体操、筋肉増強のための器具であって、頭脳の注意力を必要とせず、また、遊びの要素が含まれていないため、楽しみながら長時間使用することには適さない。更に、前記従来の椅子は積極的に腰を動かして鍛えるものであり、高齢者のように運動量が限られた者には負荷が大きく、自分の能力の範囲内で安全に、安心して、かつ、楽しみながら運動を続けることには適さなかった。
【０００４】
そこで本発明は、前記の課題を解決する運動遊具を提供することを目的とするものである。
【課題を解決するための手段】
【０００５】
前記の課題を解決するために、請求項１記載の発明は、使用者の周りに位置して、使用者の上肢の動きとともに体幹の捻り動作を誘導する誘導棒を設けたことを特徴とするものである。
【０００６】
請求項２記載の発明は、請求項１記載の発明において、前記誘導棒を使用者の周りに一部を開口して設けたことを特徴とするものである。
【０００７】
請求項３記載の発明は、前部と両側部に一連に配置した誘導棒を有することを特徴とするものである。
【０００８】
請求項４記載の発明は、請求項１又は２又は３記載の発明において、前記誘導棒に回動可能な関節部を設けて、該誘導棒の位置を変化させることができるようにしたことを特徴とするものである。
【０００９】
請求項５記載の発明は、請求項１又は２又は３又は４記載の発明において、前記誘導棒とは別に使用者が手に持つ手道具を用意し、該手道具には、前記誘導棒を挿通する穴を設けたことを特徴とするものである。
【００１０】
請求項６記載の発明は、請求項１乃至５のいずれか１項に記載の発明において、使用者の周りに位置する基台を設け、該基台を複数に分割してその構成体を回転可能に連結し、前記誘導棒を３次元的に位置変化させることを可能に形成したことを特徴とするものである。
【００１１】
請求項７記載の発明は、請求項１乃至６のいずれか１項に記載の発明において、使用者の周りに位置する基台を設け、該基台に前記誘導棒を設け、かつ、前記基台に複数の移動具を取り外し可能に設けたことを特徴とするものである。
【００１２】
請求項８記載の発明は、請求項７記載の発明において、前記誘導棒とは別に使用者が手に持つ手道具を用意し、該手道具には、前記誘導棒を挿通する穴と、前記移動具を保持する保持部を設けたことを特徴とするものである。
【００１３】
請求項９記載の発明は、使用者の周りに位置して基台を設け、該基台に複数の移動具を取り外し可能に設けたことを特徴とするものである。
【発明の効果】
【００１４】
請求項１乃至３記載の発明によれば、使用者が、その周りに配置した所望形状の誘導棒に沿って上肢を動かすことにより、使用者は単に上体をひねる運動をするのみだけでなく、上肢も動かして遊びを通して、すなわち、遊び感覚で楽しみながら上体ひねりの運動をし、体幹のストレッチを行い柔軟性を高めたり、上肢の運動能力の維持向上を図ることができる。
【００１５】
請求項４記載の発明によれば、誘導棒の３次元的位置を変化させて、前記運動における遊びの設定を自由に変えることができ、その都度刺激や課題を変えることによって、運動に飽きが来ず長く続けられる。更に、難易度を変えることで、使用者の能力にあった運動が行える。
【００１６】
更に、請求項５記載の発明によれば、手道具の穴に誘導棒を通し、手道具が誘導棒に当接しないように手道具を移動させるようにすることにより、手道具の移動に対し、注意力と集中力が必要となり、頭脳の注意力と集中力の向上を図ることができる。
【００１７】
請求項６記載の発明によれば、誘導棒を略直線状態に配置して前記上肢の運動を歩行しながら行うことができる。
【００１８】
請求項７乃至９記載の発明においても、移動具を手道具で移動することによって、前記誘導棒と同様に、遊び感覚で、上体をひねり、体幹のストレッチを行い、体幹の柔軟性を高めることができる。
【発明を実施するための最良の形態】
【００１９】
本発明を実施するための最良の形態を図に示す実施例に基づいて説明する。
図１乃至図４に示すように、本発明の運動遊具１は、円弧状に形成された基台２と、その上部に設けた誘導棒３と移動具４とからなる。
【００２０】
前記基台２は、左右の２つの基台構成体５，６からなり、一方の基台構成体５は弧状の下部フレーム７における両端と中央に支柱８を立設し、その支柱８の上端に弧状の上部フレーム９を架設して形成されている。下部フレーム７の下面にはキャスター１０が装着され、基台２が前後、左右方向に移動できるようになっている。他方の基台構成体６も前記一方の基台構成体５と同様に形成され、双方の基台構成体５，６を、その弧が連続するように連結することによって一部が開口した円弧状の囲いを構成するようになっている。なお、他方の基台構成体６については前記一方の基台構成体５と同一部分に同一符号を付してその説明を省略する。また、前記のように２つの基台構成体５，６を、その弧が連続するように連結した基台２の上から見た平面形状は、図３に示すように、使用者の位置Ｐを中心とする円弧で、かつ、半円よりも若干長く、一部が開口した略半円形に形成されている。
【００２１】
両基台構成体５，６の相互の連結端部５ａ，６ａ（支柱８，８の端面部）は、その外側においてヒンジ１１で連結されており、該ヒンジ１１を中心として、図５に示すように、両基台構成体５，６を相対的に内外方向へ回動できるようになっている。両基台構成体５，６の前記略半円連続形状から内側への移動は、下部フレーム７及び上部フレーム９における接合端面７ｂと７ｂ，９ｂと９ｂの当接で規制されるようになっている。また、前記両基台構成体５，６における下部フレーム７と上部フレーム９の接合部外面には、外側が開いたテーパ面７ａ，９ａが形成され、両基台構成体５，６を図５に示すように開いた場合に、両テーパ面７ａと７ａ，９ａと９ａが相互に当接して外側への回動量（開き量）を所定量に規制するようになっている。
【００２２】
また、前記連結端部５ａ，６ａの内側部には、図５に示すように、前記両基台構成体５，６の開き回動形態を固定する固定具１２が装着されている。この固定具１２は回転棒１３，１４と挿通棒１５からなり、回転棒１３，１４は、両基台構成体５，６の上部フレーム９，９の下面においてそれぞれ垂設され、該回転棒１３，１４は、その軸として回転可能に設けられている。この回転棒１３，１４には１本の挿通棒１５が挿通され、その挿通棒１５の一端部が一方の回動棒１３に固定され、他端部が他方の回転棒１４に摺動可能に挿通され、回転棒１４に螺設された締付け具１６を締付けることにより、挿通棒１５を回転棒１４に固定できるようになっている。したがって、基台２が図３の円弧の状態、すなわち、閉状態においては、互いの回転棒１３，１４が近接した位置で締め具１６を締付けて回動を固定する。そして、基台２を閉状態から図５の開状態へ回動する際には、締め具１６を緩めることにより、回転棒１３，１４が挿通棒１５の軸方向において離間し、その位置で締め具１６を締付けて開き状態を固定できるようになっている。
【００２３】
また、前記基台構成体５，６の上部フレーム９には、複数本の支柱１７が立設され、その上端には、誘導棒３の構成棒３０を支承する支持関節１８が設けられている。該支持関節１８は、図６に示すように、支柱１７の上端に設けられた支持部材１９に凹部１９ａを形成し、該凹部１９ａに、前記構成棒３０を支承する支承部材２０に設けた回転片２０ａを回転可能に挿入し、これら支持部材１９と回転片２０ａとに、基台２の円弧に対して径方向に配置した締め具２１を螺合して構成されている。そして、構成棒３０は締め具２１を回転軸として基台構成体５，６の接線方向において上下に揺動でき、かつ、この揺動に対して所定の抵抗を有するように締め具２１を締付けることにより、その揺動位置を保持できるようになっている。
【００２４】
前記各支柱１７には、前記と同一構造によって前記の構成棒３０が設けられており、この各支柱１７，１７に設けた構成棒３０，３０間に、他の複数の構成棒３１を架設連結して、基台１の上部フレーム９の略全長に渡る一連の誘導棒３を構成している。すなわち、誘導棒３は使用時に、使用者の前側に位置する前部と使用者の両側に位置する両側部にわたって一連に配置されて、上方から見て略半周にわたる長さに形成されている。
【００２５】
なお、前記各構成棒３０，３１は、ともに円筒状で、かつ、同一長さの棒で形成され、同一部品で形成されている。
【００２６】
前記構成棒３０と３１及び構成棒３１と３１の間の連結部（関節部）は、図７に示すような、関節部材３２で連結され該連結部が全方向に回動できるようになっている。
【００２７】
該関節部材３２は、一方の回転体３５と、他方の回転体３６の、平坦面３７，３８をワッシャー３９を介して合わせ、この合せ面を第１回転面４０として両回転体３５，３６が相対的に回転する球状の第１回転部４１を有する。
【００２８】
該第１回転部４１の両回転体３５，３６は、その中央部において、前記第１回転面４０と直交する方向に配置したボルトからなる連結具４２により螺着されて構成され、一方の回転体３５と他方の回転体３６が連結具４２を第１回転軸として相対的に回動できるようになっている。また、前記連結具４２と一方の回転体３５にワッシャー４４を介在し、一方の回転体３５と他方の回転体３６との間に前記のようにワッシャー３９を介在して連結具４２を適宜量締め付けることにより、両回転体３５，３６の相対的な回動に対して所定量の抵抗を発生させて、その回動位置を保持できるようになっている。
【００２９】
前記一方の回転体３５の外面には円筒状の回転軸４６が一体的に突設され、他方の回転体３６の外面には円筒状の回転軸４６ａが一体的に突設され、該両回転軸４６，４６ａの軸芯が、前記第１回転面４０の延長線上に位置している。すなわち、一方の回転軸４６が円筒状に形成されて、その半円部が一方の回転体３５に固着され、他の半円部が他方の回転体３６に摺動可能に形成され、また、他方の回転軸４６ａが円筒状に形成されて、その半円部が他方の回転体３６に固着され、他の半円部が一方の回転体３５に摺動可能に形成されて、２つの回転軸４６，４６ａが回転体３５，３６の連結面（第１回転面４０）に対して同一線上に位置するようになっている。なお、該回転軸４６，４６ａの軸芯部には軸孔４７，４７ａが軸方向に、かつ、外側が開口して形成されている。
【００３０】
前記一方の回転軸４６は、連結する一方の構成棒３１の端部４８に固設された保持部材５０に遊嵌している。すなわち、該保持部材５０には、前記回転軸と同軸の円筒状の保持孔５１が形成され、該保持孔５１に回転軸４６を遊嵌している。更に、前記回転軸４６と保持部材５０とは、その軸芯において、ボルトからなる連結具５２で螺合して連結され、該連結具５２の軸芯を中心として相対的に回転するようになっている。また、連結具５２は前記回転に対して所定の抵抗を有するように、連結具５２と保持部材５０の間にワッシャー５４を介して締め付けており、その回動位置を保持できるようになっている。
【００３１】
前記の回転軸４６と保持部材５０と連結具５２により第２回転部５３を構成しており、この第２回転部５３における連結具５２の回転軸芯と前記第１回転軸４１における連結具４２の回転軸芯とが相対的に直交している。
【００３２】
前記他方の回転体３６に設けられた前記回転軸４６ａには、前記第２回転軸５３と同一構造の第３回転部５３ａにより、他の構成棒３１が設けられている。この第３回転部５３ａの構成部品及び構造は、前記第２回転部５３と同様であるため、前記第２回転部５３の部品と同一部品には前記の符号にａを付してその説明を省略する。
【００３３】
この第３回転部５３ａにおいても、その連結具５２ａの回転軸芯と前記第１回転部４１における連結具４２の回転軸芯とは相対的に直交し、かつ、この連結具４２の軸芯を中心として、回転軸４６ａと保持部材５０ａが相対的に回転でき、また、その回転位置を保持できるようになっている。
【００３４】
以上の構造により、関節部材３２は、該部において構成棒３１，３１を全方向に回動できる自在継手を構成し、両構成棒３１，３１を関節部材３２を中心として、上下、前後、左右の方向に移動させることができ、すなわち、３次元的に位置を変化させることができ、また、その位置を保持できるようになっている。
【００３５】
なお、前記構成棒３０，３１も前記の構造の関節部材３２により連結されている。
また、前記誘導棒３は、前記のように、隣接する支柱１７，１７に設けた構成棒３０，３０の間に複数の構成棒３１を、前記の関節部材３２を介して連結して構成されており、この支柱１７，１７間における複数の構成棒３１を連結してなる誘導棒３の長さは、支柱１７と支柱１７の間の直線距離よりも長くなっている。したがって、誘導棒３は支持棒１７，１７間で撓んだ状態となり、この間で誘導棒３を上下、前後、左右に配置でき、かつ、基台２の円弧に沿って、すなわち、使用者の位置Ｐを中心とする周りに配置して、その状態を保持することができる。
【００３６】
更に、前記のように支持関節１８において、構成棒３０が基台構成体５，６の接線方向において上下に回動することから、各構成棒３１，３１の上下方向に合わせて、誘導棒３の上下方向の可動範囲を大きくさせることができる。
【００３７】
また、誘導棒３の各構成棒３０．３１は、それぞれ着色されており、基台２の長手方向の中央部、すなわち、ヒンジ１１の上部に位置する構成棒３１から基台２の端部に位置する構成棒３１に向かって、各構成棒３０，３１の色を変化させているとともに、その変化は、前記中央部を中心として左右対称にある構成棒３０，３１は同色としている。したがって、前記中央部から左右方向に同一長の位置にある構成棒は同色で、かつ、他の構成棒とは異色となっている。
【００３８】
次に、前記移動具４とその関連構造について説明する。
前記基台２を構成する上部フレーム９には、図１０に示すように、移動具４を載置する載置部５６が形成されている。この載置部５６は移動具４の球体４ａ，４ｃが載置しやすいように、その載置面を、前記球体４ａ，４ｃの球面の一部の面で形成した凹部に形成されている。該載置部５６の下部には上下に貫通する挿通孔５７が形成され、かつ、該挿通孔５７は、上部フレーム９の内側面に開口している。更に、該挿通孔５７の孔径は、載置部５６の直径よりも小さく、かつ、後述する移動具４の紐４ｂを挿通できる径に設定されている。
【００３９】
前記載置部５６は、両上部フレーム９，９の長手方向に適宜間隔を有して複数形成され、かつ、前記ヒンジ１１部を中心として左右対称に形成されている。
【００４０】
前記載置部５６に載置される移動具４は、前記構成棒３０，３１の軸径より大径の２つの球体４ａ，４ｃを一本の紐４ｂで連結して構成されている。この移動具４は、一方の球体４ａを前記載置部５６の凹面に嵌め、紐４ｂを前記挿通孔５７に、そのフレーム側から挿通させ、他方の球体４ｃを垂下して、取外し可能に設置している。この移動具４は異なる色を施したものを複数組用意し、前記誘導棒３の構成棒３０，３１と同様に基台２のヒンジ１１部を中心として左右対称の位置に同じ色の球体を配置したり、その他の配置ができるようになっている。
【００４１】
なお、この運動遊具１には、運動時に使用する手道具であるスティック６０が用意され、その不使用時には図５に示すように、支柱８に備え置きされている。このスティック６０の先端にはＣ型の穴６１が貫通形成され、このＣ型の穴６１の直径は前記誘導棒３における構成棒３０，３１の直径よりも大きく、かつ、移動具４の球体４ａ，４ｃの直径よりも小さく設定されている。したがって、このスティック６０の穴６１には誘導棒３を挿通することができ、移動具４の球体４ａ，４ｃをこの穴６１の周囲の保持部６３で受けることができるようになっている。なお、該Ｃ型の穴６１の開口部６２の開口幅は、前記構成棒３０，３１の直径より小さく、かつ、該開口部６２が、支柱１７における支持関節１８の支持部材１９を通過する寸法に設定されており、スティック６０の移動が支持関節１８によって妨げられないようになっている。
【００４２】
次に本運動遊具１の使用方法について説明する。
まず、運動遊具１を図１乃至図４及び図８に示すように、閉状態にして運動する方法について説明する。
【００４３】
車椅子を必要とする使用者は、車椅子７０に座った状態で、図８に示すように、円弧状の基台２の開口部２ａより基台２の中心Ｐへ進入し、その車椅子７０を、基台２の正面側に向けて停止させる。なお、歩行可能な使用者は、座部が回転不能に固定された椅子を前記中心Ｐに置いて、その椅子に座って使用してもよい。
【００４４】
そして、誘導棒３を使用して運動する場合には、まず、誘導棒３の配置状態を使用者の運動能力に合わせて決定する。すなわち、運動能力の比較的低い使用者の場合は、誘導棒３の変化量を小さくして、つまり、緩やかに配置して難易度を低くし、上体への負荷を小さく設定する。また、前記の負荷の小さい運動により体が慣れてきた使用者、もしくは、他の比較的運動能力の高い使用者が使用する場合は、誘導棒３の変化量を大きくして難易度を高くし、上体への負荷が大きくなるように設定する。
【００４５】
次に、スティック６０を、そのＣ型の穴６１を通じて、誘導棒３の一端側から挿通して、図９に示すように、誘導棒３の中央付近に配置しておき、このスティック６０を使用者Ｍが両手で持ち、そのスティック６０を誘導棒３の一方の端部方向へ移動させる。その際、図９に示すように、スティック６０のＣ型の穴６１の開口部６２を下方に向け、この開口部６２が支持関節１８の支持部材１９を通過するようにする。
【００４６】
該スティック６０におけるＣ型の穴６１の内径が、誘導棒３の直径より若干大径に形成されているため、スティック６０を、そのＣ型の穴６１の内周面が誘導棒３の外面に接触しないように注意深く移動させるようにする。
【００４７】
このとき、誘導棒３の変化量が大きいと上肢の上下運動範囲が大きくなり、スティック６０が誘導棒３に接触しないようにする注意力と集中力を高める必要がある。
【００４８】
また、スティック６０を誘導棒３の一方向へ移動する際には、下肢が固定された状態で上体が一方向へひねられ、この状態からスティック６０を誘導棒３の他端側へ誘導棒３に沿って前記と反対方向へ移動させると、上体が他方向にひねられ、上体ひねり運動が行なわれて、体幹のストレッチが行われ、体の柔軟性を高めることができる。
【００４９】
また、このスティック６０の反対側への移動に際しても、誘導棒３の変化量が大きいと上肢の上下運動範囲が大きく、注意力と集中力を高める必要がある。
【００５０】
また、誘導棒３の各構成棒３０，３１は、前記のように異なる色で着色されているため、使用者はスティック６０を移動できた範囲を色で認識することができる。
【００５１】
以上のことから、使用者は、遊び感覚でスティック６０が誘導棒３に接触しないように頭脳を使って移動し、また、スティック６０を、先回の移動範囲よりも更に移動範囲を広くしようと遊び感覚でストレッチすることになる。これにより、遊びを通して楽しみながら、上体ひねりの運動をし、体幹のストレッチをし、体幹の柔軟性を高めることができる。
【００５２】
次に移動具４を使用して運動する方法について説明する。
移動具４で運動する場合は、事前に運動遊具１の右半分、もしくは左半分の移動具４を載置部５６から外しておく。例えば、図３において、Ａ１，Ｂ１，Ｃ１・・Ｆ１部の移動具４を外しておく、そして、両手又は片手でスティック６０を持ち、使用者の前方にある移動具４、すなわち、図３において基台２のヒンジ１１部に最も近い位置にある移動具４（図３におけるＡ部の移動具４）をスティック６０ですくい、先に移動具４が外されている載置部５６のうち、図３のＡ１部の載置部５６へ移し変えて嵌める。次に、前記移動具４の後隣のＢ部の移動具４をスティック６０ですくい、Ｂ１部の載置部５６へ移動させる。この動作を繰返してＦ部までの移動具４をＦ１部まで移し変える。これにより、使用者の上体の回旋角度が次第に広くなり、上体をひねる負荷が高くなっていく。
【００５３】
このようにして、前記誘導棒３と同様に、上体をひねり、体幹のストレッチを行い、体幹の柔軟性を高めることができる。
【００５４】
なお、移動具４の移動方法は前記に限らず、例えば、使用者Ｍの前方にある移動具４、例えば図３のＡ１部の移動具４を１つ外し他は載置しておき、その空いたＡ１部の載置部５６と対称位置にあるＡ部の移動具４を、前記と同様にスティック６０でＡ１部の載置部５６へ移動させ、次に、Ｂ１部の移動具４を、前動作で空いたＡ部の載置部５６へ移動させる。これを繰返して順に後方の移動具４を移動させるようにしてもよい。更に、スティック６０を使用せずに、同じ色の移動具４を左右の手でつかみ、その移動具４を左右に入れ替えるようにしてもよい。
【００５５】
前記の動作において、スティック６０により移動具４をすくう動作は、先ず、図１１に示すようにスティック６０の開口部６２を通じて紐４ｂを穴６１に挿通させ、下方の球体４ｃにスティックの穴６１を上方から当接させ、球体４ｃを反転させるようにスティック６０を反転させて球体４ｃをすくい、球体４ｃをスティック６０に乗せて引き出し、上部の球体４ａを載置部５６より取り外す。この取り外した移動具４を他の載置部５６に嵌めるときには、前記の取り外しにより、下側に垂下した上部の球体４ａを他の載置部５６に上方から載置し、紐４ｂを開口部５７に通しながら、下部の球体４ｃを下方に垂らすようにする。
【００５６】
このような動作は、頭脳を使い、遊びを通して楽しみながら行うことができる。
次に、運動遊具１を、図５に示すような開状態にした場合の使用方法について説明する。
【００５７】
まず、基台２を開状態にして、誘導棒３を上から見て略直線状に配置する。誘導棒３の形状は、前記閉状態と同様に使用者の運動能力に合わせ、所望の３次元的配置に設定する。
【００５８】
この開状態の使用は、使用者が車椅子に乗ることはなく起立歩行できる者の場合であり、使用者は、起立した状態で、スティック６０を持ち、そのスティック６０の穴６１に誘導棒３を一方の端部より挿通し、歩行しながらスティック６０を、誘導棒３に当らないように注意しつつ、誘導棒３に沿って上下に変位させて他方の端部へと移動する。
【００５９】
このような動作により、歩行しながらの運動ができ、かつ、歩行中の注意力の向上、上肢、上体を変化させながら歩くことによる立位バランスの向上にも効果が期待できる。
【００６０】
また、開いた状態において移動具４で運動する場合は、前記の移動具４の移し換え動作を、使用者が歩行しながら行う。
【００６１】
これにより、前記誘導棒３と同様に、歩行しながらの運動と、上肢、上体の運動が行える。
【００６２】
以上のことから、本発明は、単に上体をひねる運動をするのみではなく、遊びを通して、すなわち、遊び感覚で楽しみながら上体ひねりや、体幹のストレッチをし、体幹の柔軟性を高めたりすることができる。
【００６３】
また、誘導棒３の３次元的配置や移動具４の移動範囲を所望に設定して遊びの設定（パターン）を自由に変えることができ、その都度、刺激や課題を変えることによって、飽きが来ず長く続けることができる。更に、難易度を変えることで、使用者の能力にあった運動が行える。更に、遊びの中で頭脳を使い、集中力と注意力を向上させることができる。
【００６４】
また、運動遊具１を開いて使用することにより、歩行しながら上記の運動が行え、立位バランスの向上にも効果がある。
【００６５】
したがって、本発明は、高齢者向けの運動遊具として有効なものである。
なお、本発明の運動遊具１は閉状態においても、使用者が起立して上記の動作を行ってもよく、手で直接誘導棒を触って移動するようにしてもよい。また、誘導棒３は関節部材３２を用いず、回動しない固定された棒を使用してもよい。
【００６６】
更に、基台２は円弧状に限らず、多角形などであってもよく、更に、基台２及び誘導棒３は使用者の周りにおいて、全周または一部を囲む形状であればよい。
【００６７】
更に、前記手道具として前記実施例ではスティックを用いたが、スティックに限定するものではなく、その他、リング状のものなど、使用者が把持して誘導棒を挿通できるものであればよい。
【図面の簡単な説明】
【００６８】
【図１】本発明の運動遊具を示す斜視図。
【図２】図１の正面図。
【図３】図１の上面図。
【図４】図１の側面図。
【図５】図１の運動遊具を開いた斜視図。
【図６】（ａ）は本発明の支持関節を示す正面図、（ｂ）は（ａ）のＸ−Ｘ線断面図。
【図７】（ａ）は本発明の関節部を示す上面図、（ｂ）は（ａ）のＹ−Ｙ線断面図。
【図８】本発明の運動遊具において使用者を配置した斜視図。
【図９】本発明の誘導棒にスティックを通した使用状態を示した斜視図。
【図１０】本発明における移動具を載置する載置部の側断面図。
【図１１】本発明の移動具の球体をスティックですくう状態を示す斜視図。
【符号の説明】
【００６９】
１    運動遊具
２    基台
３    誘導棒
４    移動具
３２  関節部を構成する関節部材
６０  手道具（スティック）
６１  穴
６３  保持部
Ｍ    使用者  
【図１】
2008079626.tif 000003
【図２】
2008079626.tif 000004
【図３】
2008079626.tif 000005
【図４】
2008079626.tif 000006
【図５】
2008079626.tif 000007
【図６】
2008079626.tif 000008
【図７】
2008079626.tif 000009
【図８】
2008079626.tif 000010
【図９】
2008079626.tif 000011
【図１０】
2008079626.tif 000012
【図１１】
2008079626.tif 000013